(57)【要約】      （修正有）【課題】大谷石等の劣化など毀損し易い既存の壁の表面側を、硬度、剛性の高い石材を用いて低コストの簡単な施工で覆って保護する保護用石壁構造および保護用石壁構造の施工方法を提供する。【解決手段】この保護用石壁構造は、既設石壁１の表面に沿って、かつ該表面との間に隙間ｔを有して複数個に分割された矩形状石盤２が敷き詰められ、各石盤の上側面に止め金具１０のＬ形に折曲した一端部１１が埋め込まれるとともに、止め金具の他端部１３が既設石壁に斜め下向き埋め込まれており、既設石壁の表面に斜め下向きに斜孔９を穿設し、矩形状石盤の上側面に止め金具のＬ形に折曲された一端部１１を埋め込むとともに止め金具の他端部１３を斜め下向きに折曲して既設石壁の斜孔９に挿入し、この形態で矩形状石盤を下段から上段へと順次既設石壁に沿って、かつ該既設石壁の表面との間ｔに隙間を有して積み上げることで構築される。【選択図】図１
2017014767.tif 000002
【特許請求の範囲】
【請求項１】
既設石壁の表面に対峙して配設される複数枚の石盤と、屈曲した止め金具を有し、前記止め金具の一端が前記各石盤の上側面に挿入されてなるとともに、前記止め金具の他端が前記既設石壁に斜め下向きに挿入されてなることを特徴とする保護用石壁構造。
【請求項２】
止め金具はＬ形に屈曲されてなることを特徴とする請求項１記載の保護用石壁構造。
【請求項３】
既設石壁と石盤には間隙が確保されてなることを特徴とする請求項１または２記載の保護用石壁構造。
【請求項４】
石盤は矩形状石盤であることを特徴とする請求項１乃至３のいずれかに記載の保護用石壁構造。
【請求項５】
最下段の石盤の下端が地面に接当ないし埋め込まれ、かつこの最下段の前記石盤と前記既設石壁との間の隙間に充填材が充填されてなることを特徴とする請求項１乃至４のいずれかに記載の保護用石壁構造。
【請求項６】
前記石盤は御影石または、天然または人工の大理石であることを特徴とする請求項１乃至５のいずれかに記載の保護用石壁構造。
【請求項７】
前記既設石壁は大谷石または、軽石凝灰岩であることを特徴とする請求項１乃至６のいずれかに記載の保護用石壁構造。
【請求項８】
前記止め金具は鋼製折曲材で形成され、かつ前記既設石壁に斜め下向きに埋め込まれる端部がフック状であることを特徴とする請求項１乃至７のいずれかに記載の保護用石壁構造。
【請求項９】
既設石壁の表面に斜め下向きに斜孔を穿設し、石盤の上側面に止め金具の折曲された一端を埋め込むとともに前記止め金具の他端側を斜め下向きに折曲して前記既設石壁の前記斜孔に挿入し、この形態で前記矩形状石盤を下段から上段へと順次前記既設石壁に沿って、かつ該既設石壁の表面との間に隙間を有して積み上げることを特徴とする保護用石壁構造の施工方法。
【請求項１０】
最下段の前記石盤の下端を地面に接当ないし埋め込むとともに、最下段の前記矩形状石盤と前記既設石壁との間の隙間を充填材で充填することを特徴とする請求項９に記載の保護用石壁構造の施工方法。
【請求項１１】
前記既設石壁の前記斜孔に前記止め金具の折曲端部を挿入する際に、前記斜孔内に止水性充填材を注入することを特徴とする請求項９または１０に記載の保護用石壁構造の施工方法。
【請求項１２】
止め金具はＬ形に屈曲してなることを特徴とする請求項９乃至１１のいずれかに記載の保護用石壁構造。
【請求項１３】
前記石盤は御影石または、天然または人工の大理石であることを特徴とする請求項９乃至１２のいずれかに記載の保護用石壁の施工方法。
【請求項１４】
前記既設石壁は大谷石または、軽石凝灰岩であることを特徴とする請求項９乃至１３のいずれかに記載の保護用石壁の施工方法。
【発明の詳細な説明】
【技術分野】
【０００１】
本発明は、大谷石等の既設石壁あるいは既設モルタル壁、ブロック塀等の前面に設置される保護用石壁構造およびその施工方法に関する。
【背景技術】
【０００２】
一般家屋や建造物の塀として、大谷石を積み上げた石造り塀あるいはモルタルで建造した塀やブロック塀等が通常採用されているが、これらの塀の外面は経年による風化で劣化し、表面のよごれや穴空き、破れ目等の欠損が生じ、場合によっては崩壊することもある。特に、軽石凝灰岩の一種である大谷石は軽量で柔らかく、加工が容易であるため、建物や塀の外壁、土蔵の建材として有用である反面、風雨や風雪の影響で経年変化を受けやすく、外観が劣悪となったり、崩れたりすることが多い。このような場合、従来は大谷石の壁や塀自体を部分的に、あるいは全体を取り替えたり、毀損箇所にモルタルを塗り込めて補修する等で対処していた。
【０００３】
自然石を矩形パネル状に削り加工し、この自然石パネルを積み上げて壁体を構築する技術としては、特許文献１に示すものが開示されている。これは矩形状の偏平な自然石パネルの裏面に台形状の積み台を固着し、下側の自然石パネルの積み台を上側の自然石パネルの支えとして順次上方へ積み上げていき、自然石の壁面を構築するものである。また、山地の側縁に隣接してプレキャストコンクリート板を設置し、このコンクリート板の裏面（山地側）に支持鉄骨やアンカー部材を固着するとともに、これらの支持鉄骨やアンカー部材を裏側の山地の地中に埋め込んで土留めの擁壁を構築するものも知られている（特許文献２）。この場合、コンクリート板の表面には薄板状の化粧石板がプレキャストコンクリート板の製造時に該コンクリート板自体によって接着固定されるようにしている。
【０００４】
特許文献３は地盤を掘削した空間に構造物を設置する場合に、地盤の土圧によって地盤が前記空間側へ崩れるのを防止する土留め構造および土留め方法に関するものである。空間に面する地盤の側壁にＨ形鋼壁あるいは改良体壁と称する連続壁を設置し、これらの鋼壁あるいは体壁を貫通して地盤アンカーを地盤内へ斜め下向きに挿入した構造としている。特許文献４に記載の壁面施工方法は、浴室やトイレ、流しなどの水回りの壁面をタイル貼りなどの壁材接着ではなく、人工大理石壁材を止め金具を用いて水回り壁面に固定したものである。
【先行技術文献】
【特許文献】
【０００５】
【特許文献１】特開平１０−１８３５７４号公報
【特許文献２】特開平１０−２９２３７７号公報
【特許文献３】特開２０１４−１８１４８７公報
【特許文献４】特開平８−２８４３６６号公報
【発明の概要】
【発明が解決しようとする課題】
【０００６】
大谷石で構築した家屋外壁や塀に劣化や部分毀損などが生じた場合に、壁自体を取り壊して新たに再構築するのは多大な工費がかかる。また、部分的な窪みや破れ目などの箇所にモルタルを埋めて補修するのは見栄えの点でも問題があり、しかも恒久的な補修ではなく、いずれ別の箇所にも同じような毀損が生じる可能性がある。
【０００７】
特許文献１の壁体施工用自然石の積み上げによる護岸等の壁面構築は、分割した個々の自然石の裏側に大形の積み台を固着するため、構築する壁面の直角方向（法線方向）の厚みが大となり、積み台の製造にもコストもかかる。また、積み台によっても分割した自然石どおしの連結強度は向上せず、全体として安定した壁面の構築とはならない。特許文献２，３のものは、土砂崩れなどを防止する土留めの擁壁であり、既存の外壁構造物の表面を保護するものではない。
【０００８】
本発明は、大谷石含む軽石凝灰岩等に代表される劣化など毀損し易い既存の壁の表面側を、硬度、剛性の高い石材を用いて低コストの簡単な施工で覆って保護する保護用石壁構造および保護用石壁構造の施工方法を提供することにある。
【課題を解決するための手段】
【０００９】
本発明によれば、既設石壁の表面に対峙して配設される複数枚の石盤と、屈曲した止め金具を有し、前記止め金具の一端が前記各石盤の上側面に挿入されてなるとともに、前記止め金具の他端が前記既設石壁に斜め下向きに挿入されてなることを特徴とする保護用石壁構造が提供される。
【００１０】
また、実施形態に係る保護用石壁構造よれば、止め金具はＬ形に屈曲されてなる。また、既設石壁と石盤には間隙が確保されてなることを特徴とする。また、石盤は矩形状石盤であることを特徴とする。さらに、最下段の前記矩形状石盤の下端が地面に接当ないし埋め込まれ、かつこの最下段の前記矩形状石盤と前記既設石壁との間の隙間が充填材で埋め込まれることを特徴とする。
【００１１】
本発明の他の実施形態に係る保護用石壁構造よれば、前記矩形状石盤は御影石または、天然または人工の大理石であることを特徴とする。また、前記既設石壁は大谷石または、軽石凝灰岩であることを特徴とする。
【００１２】
本発明のさらに他の実施形態に係る保護用石壁構造よれば、前記止め金具は鋼製折曲材で形成され、かつ前記既設石壁に斜め下向きに埋め込まれる端部がフック状であることを特徴とする。
【００１３】
また本発明に係る保護用石壁構造の施工方法によれば、既設石壁の表面に斜め下向きに斜孔を穿設し、矩形状石盤の上側面に止め金具のＬ形に折曲された一端を埋め込むとともに前記止め金具の他端側を斜め下向きに折曲して前記既設石壁の前記斜孔に挿入し、この形態で前記矩形状石盤を下段から上段へと順次前記既設石壁に沿って、かつ該既設石壁の表面との間に隙間を有して積み上げることを特徴とする。
【００１４】
本発明の実施形態に係る保護用石壁構造の施工方法によれば、最下段の前記矩形状石盤の下端を地面に接当ないし埋め込むとともに、最下段の前記矩形状石盤と前記既設石壁との間の隙間を充填材で充填することを特徴とする。
【００１５】
本発明の他の実施形態に係る保護用石壁構造の施工方法によれば、前記既設石壁の前記斜孔に前記止め金具の折曲端部を挿入する際に、前記斜孔内に止水性充填材を注入することを特徴とする。
【００１６】
本発明のさらに他の実施形態に係る保護用石壁構造の施工方法によれば、止め金具はＬ形に屈曲してなることを特徴とする。また、前記矩形状石盤は御影石または、天然または人工の大理石であることを特徴とする。また、前記既設石壁は大谷石または、軽石凝灰岩であることを特徴とする。
【発明の効果】
【００１７】
本発明の保護用石壁構造および保護用石壁構造の施工方法によれば、大谷石等の劣化など毀損し易い既存の壁の表面側を、硬度、剛性の高い石材を用いて低コストの簡単な施工で覆って保護することができる。また、既存の壁の前面を御影石などの石盤で覆っても、壁全体の厚みが過大とならず、さらに表面の石盤と既存の壁との間には空隙があるため、地震などの際にも表面の石盤が裏側の既存壁に押されて崩れるといった心配も生じない。
【図面の簡単な説明】
【００１８】
【図１】本発明の実施例に係る保護用石壁構造の側部断面図である。
【図２】図１に示す実施例における保護用石壁構造の一部分を示す正面図である。
【図３】図１に示す実施例における保護用石壁構造の既設壁との連結部を示す縦断面図である。
【図４】本発明の実施例に係る保護用石壁構造における既設壁を覆う石壁の上側面の部分的な平面図である。
【図５】本発明の実施例に係る保護用石壁構造で大谷石の既設壁を覆った状態の外観図である。
【発明を実施するための形態】
【００１９】
次に、本発明を、図面を参照しながら、実施例について説明する。
図１，図２に示されるように、既設の壁敷設として通常の矩形体状に削り加工された大谷石１が複数個縦、横方向に積み上げられて既設の外壁が構築されている。なお、壁体としてはこの実施例のように矩形体の形状の大谷石に限らず、前面を略平面状に形成した台形状、５角形状その他種各々の多角形状の大谷石その他軽石凝灰岩等比較的脆い石材で構築されているものでもよい。この大谷石１による既設壁面に対峙するように、矩形状に形成された御影石２が既設壁面６に沿って、かつ該既設壁面に対して或る隙間ｔを空けて縦、横方向に積み上げられ、これによって既設壁の前面が御影石２の壁で覆われている。なお、この既設壁面６と御影石２との間に隙間ｔを設けることで地震等による揺れや振動で既設壁が御影石の裏面に衝突することはない。また、設置する地面４に接当した最下段の根石部分では大谷石１と御影石２との間の隙間はモルタル材５などで埋め込まれる。また、既設壁面６に撥水剤を塗布しておくのが好ましい。
【００２０】
図２に明示されるように、本施工によって新たな外壁となる矩形状御影石２は各段について交互に横方向に位置をずらせて積み上げられる。具体的には、図２の１つの段の横方向に隣接した２つの御影石２，３の接当部位７に跨がるようにしてその上段に御影石２が順次配設されている。なお、この実施例では、各個の御影石２，３はそれぞれ縦、横および厚みが同寸法に構成され、その寸法は構築する壁面全体の大きさにもよるが、一例としては縦３０ｃｍ、横６０ｃｍ、厚み３ｃｍの矩形状御影石となっている。勿論本発明はこの仕様のものに限定されるものではなく、状況に応じて任意に定められてよい。最上段の石壁の上側面に同じ御影石による上面当て石８が設置される。上面当て石８は雨水を流出させるべく上面に傾斜を有するよう成形することが好ましい。また、積み上げられる各御影石２の接当側部には接着を兼ねたタイル用既調合目地材（タイロン）が詰設されるが、これらの部分は通常の石積み施工と変わるものではない。
【００２１】
次に、各御影石２と既設大谷石壁との連結、固定について説明する。各御影石２の上縁に当る部位で既設壁の大谷石１に斜め下向きに斜孔９が穿設される。また、各御影石２の上縁の上側面に垂直に小孔１５（図４）が穿孔され、この小孔１５から大谷石側の斜孔９にかけて後記する止め金具１０が係合されている。止め金具１０としては、例えばステンレス製の細巾の折曲材が用いられる。止め金具１０は略Ｌ形に折曲された一端部１１が御影石２の上側面の小孔１５に嵌挿され、このＬ形に曲げられた一端部１１に続く上辺部１２が御影石２の上側面に接当這設され、この上辺部１２に続いて斜め下方へ折曲された他端部１３が大谷石１の斜孔９に挿入される。実施例では前記他端部１３の先端は挿脱防止のためフック状に内側へ湾曲するように折り曲げ形成することが好ましい。
【００２２】
止め金具１０の斜め下方に折曲された前記他端部１３が斜孔９に挿入された後、斜孔９内に止め金具１０の固着を兼ねた充填剤としての止水剤が注入される。なお、止め金具１０の前記上辺部１２が這設される御影石２の上側面は止め金具１０の前記上辺部１２がその厚み分前記上側面から突出しないように図４の如く御影石２の上側面に止め金具１０の上辺部１２が入り込む小溝１４を形成するのが好ましい。
【００２３】
各御影石２の上側面２ａには複数本の、実施例では２本の真直な鋼製短軸１６が埋め込まれている。また、各御影石２の下側面にはその下側に位置する御影石２の上側面の短軸１６が挿入される軸孔が穿孔されている。この短軸１６は御影石２を上方へ積み上げていく際の位置合せを兼ねており、これによって御影石２の積み上げ作業が容易になるとともに、積み上げた御影石２どおしの固定にも役立つものである。最下段の御影石２の下側面と充填モルタル材５との間はコ字状の止め金具１７によって固定される。場合によっては、御影石２の最上段でも同様のコ字状の止め金具１７によって御影石２と大谷石１との間を固定してもよい。
【００２４】
図５は劣化の進んだ大谷石の既設壁の表面に上述の施工によって御影石の新設壁を構築した状態を示した外観図である。符号２０の部分が保護用石壁であり、符号２１の部分が未だ保護用石壁で覆われていない既設の大谷石部分である。御影石２の厚みと、御影石、大谷石間の隙間ｔ（図１）とを加えても新設壁による付加厚みはそれほど大きくならず、既存の状態をそのまま維持したまま、美麗で耐久性のよい壁面を簡単な工事で実現できる。本発明では、実施例のような御影石で既設壁を覆う形態だけでなく、天然または人工の大理石、その他耐久性に富んだ壁材を用いて構築してもよい。
【符号の説明】
【００２５】
１  大谷石
２  ，３  御影石
４  地面
５  モルタル材
６  既設壁面
９  斜孔
１０，１７  止め金具
１１  止め金具の一端部
１２  止め金具の上辺部
１３  止め金具の他端部
１４  小溝
１５  小孔
１６  短軸
２０  保護用石壁
２１  既設の大谷石部分
【図１】
2017014767.tif 000003
【図２】
2017014767.tif 000004
【図３】
2017014767.tif 000005
【図４】
2017014767.tif 000006
【図５】
2017014767.tif 000007